(57)【要約】【課題】試料導入後、安全に取り扱うことができる化学処理用カートリッジ及びその使用方法を提供する。【解決手段】化学処理用カートリッジ６０は、弾性体６１Ａの内部に設けられたレールファスナー６３によって、その開口部６２が開閉可能とされている。レールファスナー６３を開放することにより、弾性体６１Ａは、その幅全体にわたり開口可能とされている。また、弾性体６１Ａの柔軟性により、開口部６２はカートリッジ６０内の流路や室よりも大面積の開口を化学処理用カートリッジ６０に与える。【選択図】図７
2008304189.tif 000002
【特許請求の範囲】
【請求項１】
外力を加えた際の変形によって内部の送液を行うことで化学処理を行わせる化学処理用カートリッジにおいて、
前記カートリッジの内部に形成されたサンプルの送液のための空間よりも断面積が大きく、かつ開閉可能な開口部が形成され、
前記開口部を介して前記サンプルを受け入れ可能とされていることを特徴とする化学処理用カートリッジ。
【請求項２】
前記開口部は、前記カートリッジのほぼ幅全体にわたり開口することを特徴とする請求項１に記載の化学処理用カートリッジ。
【請求項３】
前記開口部は、レールファスナーにより開閉可能とされていることを特徴とする請求項１または２に記載の化学処理用カートリッジ。
【請求項４】
前記開口部には、前記サンプルを溶解する溶媒が収容されていることを特徴とする請求項１〜３のいずれか１項に記載の化学処理用カートリッジ。
【請求項５】
外力を加えた際の変形によって内部の送液を行うことで化学処理を行わせる化学処理用カートリッジの使用方法において、
前記カートリッジの内部に形成されたサンプルの送液のための空間よりも断面積が大きく、かつ開閉可能な開口部を介して前記サンプルの導入を受け付けるステップと、
前記開口部を介して導入されたサンプルを重力によって前記空間に向けて移動させるステップと、
を備えることを特徴とする化学処理用カートリッジの使用方法。
【請求項６】
外力を加えた際の変形によって内部の送液を行うことで化学処理を行わせる化学処理用カートリッジの使用方法において、
前記カートリッジの内部に形成されたサンプルの送液のための空間よりも断面積が大きく、かつ開閉可能な開口部に溶媒を受け入れるステップと、
前記開口部に受け入れた前記溶媒に前記サンプルを溶解させる処理を受け付けるステップと、
を備えることを特徴とする化学処理用カートリッジの使用方法。
【請求項７】
外力を加えた際の変形によって内部の送液を行うことで化学処理を行わせる化学処理用カートリッジの使用方法において、
前記カートリッジの内部に形成されたサンプルの送液のための空間よりも断面積が大きく、かつ開閉可能な開口部を介して前記サンプルの導入を受け付けるステップと、
前記開口部が閉じられた状態で前記サンプルとエアーとを前記開口部内で分離するステップと、
を備えることを特徴とする化学処理用カートリッジの使用方法。
【発明の詳細な説明】
【技術分野】
【０００１】
本発明は、外力を加えた際の変形によって内部の送液を行うことで化学処理を行わせる化学処理用カートリッジ及びその使用方法に関する。
【背景技術】
【０００２】
特許文献１では、特に溶液の合成や溶解、検出、分離などを、決められたプロトコルに従って個人差がなく低価格で安全、容易に行うことを目的に、内部に室及び流路が形成され、その室や流路内での流動体の流動・流動阻止を可能にする弾性体と、位置や形状を保持するための剛性体の基板とから構成された化学処理用カートリッジが提案されている。  
【０００３】
特許文献１記載の発明によれば、ローラ等で弾性体を変形させて室や流路を押し潰し、押し潰した状態でローラ等を移動又は停止することで、流動体の流動・流動阻止を行っている。
【０００４】
このような化学処理用カートリッジは、ＤＮＡ、ＲＮＡ、蛋白等を検査・分析するためのバイオ用カートリッジ（バイオチップ）としても利用される。特許文献１の段落0033及び図２１には、血液等の試料の注入口に凹部を形成しておき、漏れた試料を凹部に留めるようとする発明が記載されている。試料の注入後、注射針はカートリッジから抜き取られる。特許文献１記載の発明によれば、試料の採取後、ローラの押圧等により適時に試料をカートリッジ内の前処理室や反応室等へ移送することができる。
【０００５】
【特許文献１】特開２００５−０３７３６８号公報
【発明の開示】
【発明が解決しようとする課題】
【０００６】
しかし、特許文献１記載の発明によれば、注射針をカートリッジから抜き取った後、穿刺部周囲の凹部により、漏洩した試料が周囲の物に付着するおそれは少ない。しかし、漏洩した血液が周囲の物に付着するおそれは皆無とは言えず、また、漏洩した試料が外気に晒されており、試料によっては危険性がある。
【０００７】
本発明は以上の従来技術における問題に鑑みてなされたものであって、試料導入後、安全に取り扱うことができる化学処理用カートリッジ及びその使用方法を提供することを課題とする。
【課題を解決するための手段】
【０００８】
本発明の化学処理用カートリッジは、外力を加えた際の変形によって内部の送液を行うことで化学処理を行わせる化学処理用カートリッジにおいて、前記カートリッジの内部に形成されたサンプルの送液のための空間よりも断面積が大きく、かつ開閉可能な開口部が形成され、前記開口部を介して前記サンプルを受け入れ可能とされていることを特徴とする。
この化学処理用カートリッジによれば、カートリッジの内部に形成されたサンプルの送液のための空間よりも断面積が大きく、かつ開閉可能な開口部が形成されているので、サンプルを容易に導入でき、外部への汚染のおそれがない。
【０００９】
前記開口部は、前記カートリッジのほぼ幅全体にわたり開口してもよい。
【００１０】
前記開口部は、レールファスナーにより開閉可能とされていてもよい。
【００１１】
前記開口部には、前記サンプルを溶解する溶媒が収容されていてもよい。
【００１２】
本発明の化学処理用カートリッジの使用方法は、外力を加えた際の変形によって内部の送液を行うことで化学処理を行わせる化学処理用カートリッジの使用方法において、前記カートリッジの内部に形成されたサンプルの送液のための空間よりも断面積が大きく、かつ開閉可能な開口部を介して前記サンプルの導入を受け付けるステップと、前記開口部を介して導入されたサンプルを重力によって前記空間に向けて移動させるステップと、を備えることを特徴とする。
【００１３】
本発明の化学処理用カートリッジの使用方法は、外力を加えた際の変形によって内部の送液を行うことで化学処理を行わせる化学処理用カートリッジの使用方法において、前記カートリッジの内部に形成されたサンプルの送液のための空間よりも断面積が大きく、かつ開閉可能な開口部に溶媒を受け入れるステップと、前記開口部に受け入れた前記溶媒に前記サンプルを溶解させる処理を受け付けるステップと、を備えることを特徴とする。
【００１４】
本発明の化学処理用カートリッジの使用方法は、外力を加えた際の変形によって内部の送液を行うことで化学処理を行わせる化学処理用カートリッジの使用方法において、前記カートリッジの内部に形成されたサンプルの送液のための空間よりも断面積が大きく、かつ開閉可能な開口部を介して前記サンプルの導入を受け付けるステップと、前記開口部が閉じられた状態で前記サンプルとエアーとを前記開口部内で分離するステップと、を備えることを特徴とする。
【発明の効果】
【００１５】
本発明の化学処理用カートリッジによれば、カートリッジの内部に形成されたサンプルの送液のための空間よりも断面積が大きく、かつ開閉可能な開口部が形成されているので、サンプルを容易に導入でき、外部への汚染のおそれがない。
【発明を実施するための最良の形態】
【００１６】
以下に本発明の一実施の形態につき図面を参照して説明する。以下は本発明の一実施形態であって本発明を限定するものではない。なお、本発明の化学処理用カートリッジは、一般に「マイクロリアクタ」とも呼ばれる反応器として応用されるものである。本発明は特定の用途に限定されない。
【００１７】
〔第１実施形態〕
まず、本発明の第１実施形態につき図１及び図２を参照して説明する。
【００１８】
図１は、本発明の第１実施形態に係る化学処理用カートリッジ１０の垂直断面図(a)及び斜視図(b)である。
【００１９】
図１に示すように、化学処理用カートリッジ１０は、カートリッジ本体１の端部に密封部材１１が付設されたものである。カートリッジ本体１は、気密状で弾力性のあるゴムなどの弾性体３と、硬質材料で形成された位置決め及び形状維持のための剛性体の基板２より形成されている。
【００２０】
弾性体３の材質としては、シリコンゴム、ＰＤＭＳ（ポリジメチルシロキサン）、天然ゴムおよびその重合体、アクリルゴム、ウレタンゴムなどである。
【００２１】
基板２の材質としては、ガラス、金属、硬質樹脂あるいは曲げることが可能な剛体を用いることができる。
【００２２】
図１に示すように、弾性体３の一面に凹部（例えば３ａ）が形成されている。弾性体３の凹部が形成された面の凹部を除く部分が、基板２の面に接着されることにより、流路及び室が形成されている。室は２以上形成される。流路は室間を繋げ、室間の物質の移送を可能にする。移送される物質は、流動性のある物質、液体その他の流体状の物質である。移送目的の反応物質が、固体等の流動しないもの、流動し難いものである場合は、その反応物質を含んだ溶液が室に入れられる。
【００２３】
流路及び室は、弾性体により全体を被うようにして形成しても良いし、一部の壁部を弾性体により構成しても良い。基板２と弾性体３との間にもう一層の弾性体を介在させることにより、流路及び室の全体を弾性体により被うように形成することができる。また、基板２に代えて弾性体を用い、剛性体の基板なしで構成しても良い。
【００２４】
物質の移動は次のように行う。
【００２５】
まず、ローラ、スキージ、シリンジ等の押圧手段を、流路又は室上の弾性体３に押し当て、流路又は室を押し潰す。流路又は室を押し潰すことにより、内部の物質を流動させて移動させることができる。さらには、押圧位置を移動させることにより、内部の物質を流動させ、押圧位置の移動方向に物質を移動させることができる。押圧位置の移動は、押圧位置において流路又は室の対向する内壁同士を接触させることにより内部空間を遮断する状態まで押圧して行うことが好ましい。
【００２６】
物質の移動阻止は、押圧手段により流路又は室の対向する内壁同士を接触させて内部空間を遮断することで行われる。押圧手段を複数使用することにより、一方の押圧手段により物質の移動を行わせつつ、その移動方向の前方において他方の押圧手段により流路又は室を押圧して、その位置より先への物質の移動を阻止することもできる。
【００２７】
以上のような移動、移動阻止を基本として、カートリッジ本体１内の物質の移動が制御される。
【００２８】
以上の原理により、カートリッジ本体１内の物質の移動を制御して、化学反応のための操作を行う。
【００２９】
図１に示すようにカートリッジ本体１には、試料採取室４と、試料採取室４に繋がる流路５とが形成されている。流路５は図示しない前処理室等の他の室に繋がれている。
【００３０】
カートリッジ本体１の端部には、穿刺部６が形成されている。穿刺部６は、弾性体３の部分に形成される。穿刺部６は、カートリッジ本体１の端面から窪んだ穴状に形成され、試料採取室４に隣接して形成されている。穿刺部６の穴の底部が、ちょうど試料採取室４との間の隔壁となるように形成されており、この部分に注入針を穿刺することにより血液等の試料を注入できる。なお、血液のほか、生体、自然界等から採取したあらゆるものが試料となり得る。
【００３１】
密封部材１１は、穿刺部６が形成された端部を覆うように付設されている。密封部材１１とカートリッジ本体１との間は、接着、溶着等により気密に接合される。密封部材１１の開口１２を密閉する手段として、密封部材１１は、レールファスナー構造１３を有する。
【００３２】
試料注入時には、図２(a)に示すように、レールファスナー構造１３を外して、開口１２を開いた状態とする。なお、試料注入前に開口１２を閉めておく必要は無い。
【００３３】
次に、注射器等に接続された注入針７を開口１２に通して密封部材１１内に挿入する。さらに、注入針７を穿刺部６の底部に穿刺して、その先端を試料採取室４まで貫通させる。さらに、注入針７を介して試料を注入した後、注入針７を抜き去り、レールファスナー構造１３を嵌めて開口１２を密閉する。これにより、穿刺部６は密封される。開口１２は、注入針７を受け入れ可能にする大きさを有すれば足りる。
【００３４】
以上のようにして、試料採取室４への試料の導入を行い、迅速に開口１２を密閉する。その後は、開口１２を不必要に開くことは避け、開口１２を密閉した状態で本カートリッジ１０を血液等の試料の検査に使用する。さらにその後、開口１２を密閉した状態で本カートリッジ１０を廃棄する。
【００３５】
このように、本実施形態のカートリッジでは、カートリッジの内部に形成されたサンプルの送液のための空間よりも断面積が大きく、かつ開閉可能な開口部が形成されているので、サンプルを容易に導入することができる。
【００３６】
〔第２実施形態〕
次に、本発明の第２実施形態につき図３を参照して説明する。
【００３７】
本実施形態の化学処理用カートリッジ２０は、カートリッジ本体１と、カートリッジ本体１全体を覆う袋状の密封部材２１とからなる。密封部材２１は、透明で樹脂製の袋体で、開口部を開閉可能なレールファスナー構造１３と一体に形成されている。カートリッジ本体１内の物質の移動のためのローラ等による弾性体への押圧は、密封部材２１の外から行う。そのため、密封部材２１は弾性体への押圧を妨げない柔軟性のあるものが好ましい。
【００３８】
本実施形態のカートリッジでは、カートリッジの内部に形成されたサンプルの送液のための空間よりも断面積が大きく、かつ開閉可能な開口部が形成されているので、サンプルを容易に導入することができる。
【００３９】
密封部材２１の内面に金属膜２２が形成されている。なお、金属膜２２無しで実施することも有効である。密封部材２１は、この金属膜２２を付設されたことにより、金属膜２２を有する部分に遮光性が付加され、カートリッジ本体１内に収められる物質に光が照射されることによるその物質の変質、劣化等を防ぎ、保存性を向上することができる。遮光性が付加するためには、金属膜によらず、着色等で行っても良い。
【００４０】
検出窓部２３に相当する部分では金属膜２２は開口を有し、検出窓部２３の透光性が確保されている。室９は、蛍光物質が付加されたＤＮＡ等の光学的検出の対象物の収められる室である。
【００４１】
室８は、外部からの加熱の対象物の収められる室である。金属膜２２により室８への熱伝導性が良くなり、効率よく室８内の物質を加熱することができる。金属膜２２は、室８の直上領域のみに孤立して設けても良い。また、室８の直上領域において密封部材２１に開口を設けて金属膜２２を外側に露出させてもよい。これによりさらに熱伝導効率を上げることができる。また、金属膜２２は、密封部材２１の外面に設けても良い。
【００４２】
逆に、加熱部の金属膜が周囲への熱伝導を生じる時は、窓２３と同様に金属膜をその部分だけ除去してもよい。
【００４３】
〔第３実施形態〕
次に、本発明の第３実施形態につき図４を参照して説明する。
【００４４】
本実施形態は、密封部材の開口の密閉手段に関し、他の構造、方法を構成するものである。図４に示すように、本実施形態の化学処理用カートリッジ３０は、上記実施形態と同様に密封部材３１を有する。密封部材３１の開口１２側の端部内面には、粘着のり又は接着剤によるシール層３２，３３が対向する領域に付加されている。図４(a)に示すように、シール層３２，３３は剥離紙３４により隔絶されている。
【００４５】
図４(b)に示すように、シール層３２，３３のうちいずれか一方を剥離紙３４から剥がすことにより、開口１２を開くことができる。開口１２を開き、試料の注入を行った後は、図４(c)に示すように、剥離紙３４をシール層３２，３３から剥がして抜き去り、シール層３２，３３を圧着して開口１２を密閉する。
【００４６】
また、他の実施形態としては、シール層３２，３３を無しとして、密封部材３１の開口１２のある端部を熱融着させて開口１２の密閉を行うことである。すなわち、密封部材３１の開口１２側に延出し、互いに合わされる縁部同士を熱融着させて開口１２の密閉を行う。
【００４７】
本実施形態のカートリッジでは、カートリッジの内部に形成されたサンプルの送液のための空間よりも断面積が大きく、かつ開閉可能な開口部が形成されているので、サンプルを容易に導入することができる。
【００４８】
〔第４実施形態〕
次に、本発明の第４実施形態につき図５を参照して説明する。
【００４９】
本実施形態は、密封部材の開口の密閉手段に関し、他の構造、方法を構成するものである。図４に示すように、本実施形態の化学処理用カートリッジ４０は、上記実施形態と同様に密封部材４１を有する。密封部材４１の開口１２側の互いに合わされる縁部ａ，ｂは異なる長さに形成されている。
【００５０】
縁部ａの外面ａ１と、縁部ｂの内面ｂ１とに、粘着のり又は接着剤によるシール層を施しておき、それぞれの剥離紙を剥がして図５(b)に示す状態に折り曲げて密閉する。
【００５１】
これに加えて、縁部ａの内面ａ２と、これに対向する縁部ｂの内面ｂ２とに、粘着のり又は接着剤によるシール層を施し、上記第３実施形態と同様の密閉を行い、二重のシールとしてもよい。
【００５２】
また、粘着のり又は接着剤によるシールに代え、図５(b)に示す折り曲げ状態にて、縁部ａ，ｂ同士を熱融着させて開口１２の密閉を行うことも有効である。この場合、縁部ａの外面ａ１と、縁部ｂの内面ｂ１との融着、縁部ａの内面ａ２と、これに対向する縁部ｂの内面ｂ２との融着の双方を行って、二重のシールとすることが好ましい。
【００５３】
本実施形態のカートリッジでは、カートリッジの内部に形成されたサンプルの送液のための空間よりも断面積が大きく、かつ開閉可能な開口部が形成されているので、サンプルを容易に導入することができる。
【００５４】
〔第５実施形態〕
次に、本発明の第５実施形態につき図６を参照して説明する。
【００５５】
本実施形態は、カートリッジの位置決めのための構造、方法を構成するものである。
【００５６】
図６に示すように、本実施形態の化学処理用カートリッジ５０は、上記実施形態と同様に密封部材５１を有する。図６(a)に示すように、カートリッジ本体１の裏面の基板部分に穴５２を設ける。そして、図６(b)に示しように、作業台５３への位置決め固定は、作業台５３上に突起５４を立設しておき、密封部材５１を介在させたまま、突起５４をカートリッジ本体１の穴５２に嵌合させることにより行う。
【００５７】
穴５２と突起５４との嵌合のみならず、作業台側の凹凸に係止する形状の凹凸を基板の裏面に形成すれば足りる。
【００５８】
本実施形態のカートリッジでは、カートリッジの内部に形成されたサンプルの送液のための空間よりも断面積が大きく、かつ開閉可能な開口部が形成されているので、サンプルを容易に導入することができる。
【００５９】
〔第６実施形態〕
次に、本発明の第６実施形態につき図７を参照して説明する。第６実施形態は、注入針を用いずに、サンプルを導入可能な形態例を示している。
【００６０】
図７（ａ）は、本発明の第６実施形態に係る化学処理用カートリッジ６０の断面図、図７（ｂ）および図７（ｃ）は、その斜視図である。
【００６１】
図７（ａ）〜図７（ｃ）に示すように、化学処理用カートリッジ６０は、シリコンゴム、ＰＤＭＳ（ポリジメチルシロキサン）、天然ゴムおよびその重合体、アクリルゴム、ウレタンゴムなどの柔軟性、弾力性を有する材質で形成された弾性体６１Ａと、弾性体６１Ａの内部に取り付けられた基板６１Ｂとからなる。基板６１Ｂは弾性体６１よりも硬質の材料で構成されている。
【００６２】
図７（ａ）に示すように、弾性体６１Ａの内部には所定の形状の凹部が形成され、これにより所定の化学処理を行うための一連の流路（例えば、流路６５）及び室（例えば、室６４）が構成される。
【００６３】
図７（ａ）〜図７（ｃ）に示すように、化学処理用カートリッジ６０は、弾性体６１Ａの内部に設けられたレールファスナー６３によって、その開口部６２が開閉可能とされている。図７（ｂ）に示すように、レールファスナー６３を開放することにより、弾性体６１Ａは、その幅全体にわたり開口可能とされている。また、弾性体６１Ａの柔軟性により、開口部６２はカートリッジ６０内の流路や室よりも大面積の開口を化学処理用カートリッジ６０に与える。このため、図７（ｂ）に示すように、化学処理用カートリッジ６０の両側端部を軽く押さえ込むことにより、開口部６２を大きく開いた状態で、図７（ａ）に示すように、開口部６２を介してサンプル８１を化学処理用カートリッジ６０内に滴下することが可能となる。
【００６４】
図７（ａ）に示すように、滴下されたサンプル８１は、テーパー部６６ａおよび導入部６６ｂからなる受け入れ部６６で受け入れられ、カートリッジ６０の開口部６２を上方に向けた姿勢を維持することにより、重力により室６４に導かれる。サンプル８１の導入後、レールファスナー６３により開口部６２を密閉することで、化学処理用カートリッジ６０を密封することができる。このため、以降の作業の安全性を確保することができる。
【００６５】
次に、図７（ｃ）に示すように、ローラ９を基材６１Ｂに押し付けて移動させて、カートリッジ６０内部の流動体を移動させることにより、所定の化学処理を行わせることができる。検査等の後には、開口部６２を閉じた密閉状態を保ったままカートリッジ６０を廃棄できる。
【００６６】
このように、本実施形態のカートリッジ６０によれば、カートリッジの幅全体にわたり開口される開口部６２を介してサンプルを滴下して導入することができるので、例えば、結核菌の検査等、唾液をサンプルとするような場合に好適なカートリッジとして使用できる。
【００６７】
また、一度、他の容器で受け入れたサンプルの一部を、注射器を用いて導入する必要もない。このため、容器を介するウィルスによる汚染や、開放系での作業に起因する危険性を排除することができる。
【００６８】
〔第７実施形態〕
次に、本発明の第７実施形態につき図８及び図９を参照して説明する。第７実施形態は、サンプル採取棒等を用いてサンプルを導入可能な形態例を示している。
【００６９】
図８（ａ）および図８（ｂ）は、本発明の第７実施形態に係る化学処理用カートリッジ７０の断面図である。
【００７０】
図８（ａ）および図８（ｂ）に示すように、化学処理用カートリッジ７０は、シリコンゴム、ＰＤＭＳ（ポリジメチルシロキサン）、天然ゴムおよびその重合体、アクリルゴム、ウレタンゴムなどの柔軟性、弾力性を有する材質で形成された弾性体７１Ａと、弾性体７１Ａの外側に取り付けられた基板７１Ｂとからなる。基板７１Ｂは弾性体７１よりも硬質の材料で構成されている。弾性体７１Ａの内部には所定の形状の凹部が形成され、これにより所定の化学処理を行うための一連の流路及び室（不図示）が構成される。
【００７１】
図８（ａ）および図８（ｂ）に示すように、化学処理用カートリッジ７０は、弾性体７１Ａの内部に設けられたレールファスナー７３によって、その開口部７２が開閉可能とされている。図８（ａ）に示すように、レールファスナー７３を開放することにより、弾性体７１Ａは、その幅全体にわたり開口可能とされている。また、弾性体７１Ａの柔軟性により、開口部７２はカートリッジ７０内の流路や室よりも大面積の開口を化学処理用カートリッジ７０に与える。このため、化学処理用カートリッジ７０の両側端部（図８（ａ）において手前側端部および奥側端部）を軽く押さえ込むことにより、開口部７２を大きく開いた状態で、図８（ａ）に示すように、開口部７２を介してサンプルの付着したサンプル採取棒８２等を化学処理用カートリッジ７０内に導入することが可能となる。
【００７２】
図７（ａ）に示すように、開口部７２からサンプル採取棒８２等を挿入し攪拌することで、サンプル採取棒８２等に付着したサンプルはカートリッジ７０内の溶媒で溶解され、溶液８３として導入される。溶媒は予めカートリッジ７０に収容されていてもよいし、あるいはサンプル導入前にカートリッジ７０に注入されてもよい。
【００７３】
サンプル導入後、レールファスナー７３により開口部７２を密閉することで、化学処理用カートリッジ７０を密封することができる。このため、作業の安全性を確保することができる。次に、図８（ｂ）に示すように、カートリッジ７０を駆動装置にセットし、ローラ９を基材７１Ｂに押し付けて移動させることにより、導入部７６を介して溶液８３をカートリッジ７０内部に送液し、所定の化学処理を行わせることができる。溶液を送液する際には、エアーの分離が必要となるが、図８（ｂ）に示すように、カートリッジ７０を立てた状態で送液を行うことで、カートリッジ７０の上部にエアー８４を溜めることができる。これにより、溶液８３とエアーとを分離できる。
【００７４】
検査等の後には、開口部６２を閉じた密閉状態を保ったままカートリッジ７０を廃棄できる。
【００７５】
このように、本実施形態のカートリッジ７０によれば、カートリッジの幅全体にわたり開口される開口部７２を介して、サンプル採取棒８２等によりサンプルを導入することができるので、例えば、患部細胞塊をサンプルとするような場合に好適なカートリッジとして使用できる。
【００７６】
また、一度、他の容器で受け入れたサンプルの一部を、注射器を用いて導入する必要もない。このため、容器を介するウィルスによる汚染や、開放系での作業に起因する危険性を排除することができるほか、貴重なサンプルの一部を無駄にすることがなく、サンプルを有効に利用できる。
【００７７】
図９（ａ）は、エアーを溜めるためのエアポケット部を形成したカートリッジの構成例を示す断面図である。図９（ａ）の例では、弾性体７１Ｃの形状に変更を加えることにより、カートリッジ７０Ａを横向きに寝かせた場合に、カートリッジ７０Ａの最上部に位置するエアポケット部８５を設けている。このようなエアポケット部８５により、水平方向に送液する場合にも、エアーをエアポケット部８５に溜めることが可能となり、溶液８３とエアーとを分離できる。
【００７８】
図９（ｂ）は、送液に際して、エアーを分離するためのシャッターを追加した例を示す断面図である。この例では、ローラ９の後方でカートリッジ７０Ａにシャッター９１を押し付けることで、エアーおよび溶液８３の移動を禁止し、溶液８３とエアーとの分離を補助している。
【図面の簡単な説明】
【００７９】
【図１】本発明の第１実施形態に係る化学処理用カートリッジの垂直断面図(a)及び斜視図(b)である。
【図２】本発明の第１実施形態に係る化学処理用カートリッジへの試料注入の様子を示す垂直断面図(a)、及び試料注入後の密封の様子を示す垂直断面図(b)である。
【図３】本発明の第２実施形態に係る化学処理用カートリッジの垂直断面図である。
【図４】本発明の第３実施形態に係る化学処理用カートリッジの開封、密閉の様子を示す垂直断面図(a)(b)(c)である。
【図５】本発明の第４実施形態に係る化学処理用カートリッジの密閉の構造を示す垂直断面図(a)(b)である。
【図６】本発明の第５実施形態に係る化学処理用カートリッジの位置決め構造を示す垂直断面図(a)(b)である。
【図７】本発明の第６実施形態に係る化学処理用カートリッジの断面図（ａ）および斜視図（ｂ）（ｃ）である。
【図８】本発明の第７実施形態に係る化学処理用カートリッジの断面図（ａ）（ｂ）である。
【図９】エアーを溜めるためのエアポケット部を形成したカートリッジの構成例を示す断面図（ａ）、およびエアーを分離するためのシャッターを追加した例を示す断面図（ｂ）である。
【符号の説明】
【００８０】
１０，２０，３０，４０，５０，６０，７０，７０Ａ  化学処理用カートリッジ
１２    開口（開口部）
１３，６３，７３  レールファスナー
６２，６３  開口部
【図１】
2008304189.tif 000003
【図２】
2008304189.tif 000004
【図３】
2008304189.tif 000005
【図４】
2008304189.tif 000006
【図５】
2008304189.tif 000007
【図６】
2008304189.tif 000008
【図７】
2008304189.tif 000009
【図８】
2008304189.tif 000010
【図９】
2008304189.tif 000011